(57)【要約】【課題】本発明の課題は、利用者が任意につけた携帯電話のアドレスなどのＰＩＮ＃および携帯電話ごとに保持している装置番号で発信者の接続処理と同一ハンドルネームでも複数の電話番号接続を実現する。【解決手段】利用者が携帯電話に電話番号の代わりにアドレス、ニックネームなどのＰＩＮ＃を公開する電話帳に登録する。また、携帯電話ごとに保持し、かつを非公開である装置Ｎｏ．を組み合わせることで、ネットワークに接続されている中継局のＰＩＮ＃対応データベースをアクセスして装置Ｎｏ．をキーにして検索する。そしてＰＩＮ＃をＰＩＮ＃対応データベースに登録することで、ＰＩＮ＃と装置Ｎｏ．の組み合わせから携帯電話を特定したＰＩＮ＃による送受信を実現することで上記の課題を解決する。【選択図】図１
2008098877.tif 000002
【特許請求の範囲】
【請求項１】
ネットワークを介した携帯電話の通話接続において、利用者が設定するＰＩＮ＃を電話機固有に内蔵されている非公開の装置Ｎｏ．と組み合わせることによって、別の利用者も同一のＰＩＮ＃を使用することを可能にした携帯電話サービスシステム。
【請求項２】
請求項１において、利用者が、非公開である電話機固有の装置Ｎｏ．と組み合わせられたＰＩＮ＃を相手のＰＩＮ＃へ送信することで電話機固有の電話番号を公開しないで接続を可能にした携帯電話サービスシステム。
【請求項３】
請求項１、請求項２において、ネットワークを介して接続された中継局に、ＰＩＮ＃と装置番号、電話番号そしてインスタンスＩＤから成るＰＩＮ＃対応データベースを生成することでＰＩＮ＃で受発信を可能にした携帯電話サービスシステム。
【請求項４】
請求項１、請求項２、請求項３において、知人が保有している携帯電話の電話帳は、送信元が知人の携帯電話に設定したＰＩＮ＃とインスタンスＩＤを送信することで送信側の携帯電話情報であるＰＩＮ＃は公開電話帳に、装置Ｎｏ．は非公開電話帳に登録されることで電話帳の更新・登録を可能にした携帯電話サービスシステム。
【発明の詳細な説明】
【技術分野】
【０００１】
本発明は携帯電話サービスに属するものであり、  中継局のデータベースを利用して発信者と発信者が指定する着信者との間に通話接続方法に関する。
【背景技術】
【０００２】
一つの電話番号をあたかも複数の番号があるかのように提供する電信電話サービスにおいて、ハンドルネームで指定した相手への通話要求をインターネット経由で受信し、さらに発信元にインターネット経由で相手へダイアルアクセスを指示する。発信者がダイアルアクセスすると公衆電話回線網を経由して送信された電話番号がハンドルネームで指定した電話番号と一致しているかを確認し、一致していればハンドルネームで指定した相手に発信者のダイアルアクセスを転送することで接続が実現する。
【０００３】
【特許文献１】特開２００３−１１０７００号公報
【発明の開示】
【発明が解決しようとする課題】
【０００４】
上記の従来技術ではすなわち、ハンドルネーム指定でインターネットによる通話要求、そしてインターネット経由でハンドルネームに対応したダイアルアクセス先の指示、そしてハンドルネームとダイアルアクセス先である電話番号の確認で発信者の電話が接続され、発信者としては２段階の処理が必要であった。また、ハンドルネームは一つの電話番号に複数のハンドルネームを使えるが、同一のハンドルネームが他の電話番号には使えなかった。
【０００５】
本発明の目的は、利用者が任意につけた携帯電話のアドレスなどのＰＩＮ＃および携帯電話ごとに保持している装置番号で発信者の接続処理と同一ハンドルネームでも複数の電話番号接続に実現することである。
【課題を解決するための手段】
【０００６】
利用者が携帯電話に電話番号の代わりにアドレス、ニックネームなどのＰＩＮ＃を公開する電話帳に登録する。また、携帯電話ごとに保持し、かつを非公開である装置Ｎｏ．を組み合わせることで、ネットワークに接続されている中継局のＰＩＮ＃対応データベースをアクセスして装置Ｎｏ．をキーにして検索する。そしてＰＩＮ＃をＰＩＮ＃対応データベースに登録することで、ＰＩＮ＃と装置Ｎｏ．の組み合わせから携帯電話を特定したＰＩＮ＃による送受信を実現することで上記の課題を解決する。
【発明の効果】
【０００７】
ＰＩＮ＃、装置Ｎｏ．の組み合わせによる接続で複数のＰＩＮ＃を使える。さらに、悪意の持った第３者が所有している携帯電話で他人のＰＩＮ＃を送信しても装置Ｎｏ．との組み合わせが不一致なので接続されできないので迷惑電話を対処できるとともに個人情報（電話番号）が守れる。また、ＰＩＮ＃登録時に取得するインスタンスＩＤをＰＩＮ＃ともに着信させることによって携帯電話の電話帳が自動的に更新・登録する。
【発明を実施するための最良の形態】
【０００８】
以下、本発明について図面を参照して詳細を説明する。
【０００９】
図１は、本発明における通話接続システムの一実施形態である。携帯電話１０１、１０３および中継局１０２が携帯電話用ネットワーク１０４に接続されている。
【００１０】
図２は、携帯電話１０１、１０３の機能構成について説明したものである。携帯電話２０１はメモリ２０１１とＣＰＵ２０１２から成り、メモリ２０１１は通信制御２０２、画面処理部２０３、音声入出力部２０８、電話帳２０４、装置Ｎｏ．提出部２０７、装置Ｎｏ．２０６、インスタンスＩＤ２０５から構成され、ＣＰＵ２０１２で制御される。
【００１１】
なお、電話帳２０４は図１２で示すとおり、ＰＩＮ＃４０１を公開する公開電話帳２０４とＰＩＮ＃４０１とＮｏ．２０７がＰＩＮ＃４０１を格納した非公開電話帳２０４２があり、非公開電話帳２０４２の内容は利用者でも参照することができない。
【００１２】
図３は、中継局１０２について説明したものである。中継局１０２はメモリ３０１１とＣＰＵ３０１２からなり、メモリ３０１１は通信制御３０１と、送受信識別部３０２、ＤＢ処理部３０３、インスタンス生成部３０４、接続処理部３０５からなる中継制御３０１３とＰＩＮ対応データベース３０６で構成され、ＣＰＵ３０１２で制御される。
【００１３】
図４は、ＰＩＮ＃対応データベース３０６のデータ形式の例である。電話番号４０２はあらかじめに装置Ｎｏ．４０３と対応付けられてある。また、電話番号４０２はＰＩＮ＃４０１による接続で中継局１０２内の接続処理のキーとなるものである。さらに中継局１０２へＰＩＮ＃４０１登録依頼頼時に付加されるインスタンスＩＤ４０４から成っている。
【００１４】
図５は、携帯電話Ａ１０１が設定しようとするＰＩＮ＃４０１の送信から、中継局１０２内のＰＩＮ＃対応データベース３０６で携帯電話Ａ１０１のＰＩＮ＃４０１を登録するまでの流れである。携帯電話Ａ１０１の所有者であるＡさんは、装置Ｎｏ．２０７の存在でさえ知らないものである。Ａさんが、携帯電話Ａ１０１のＰＩＮ＃１４０１のデータとしてＡ−ｓａｎと手入力し、送信のためにオンフックボタンを押す（５０１）。自動的に装置Ｎｏ．提出部２０７では携帯電話２０１に内蔵されている装置Ｎｏ．２０６を取得する（５０２）。そして、ＰＩＮ＃１４０１のデータとともに中継局１０２に送信される（５０３）。このときに送信されるデータ形式は図８のとおりである。中継局１０２は、受信した接続依頼が登録依頼であることを、着信したデータ形式で確認する（５０４）。さら、インスタンスＩＤ４０４を生成する（５０５）。次に、ＰＩＮ＃対応データベース３０７から装置Ｎｏ．（図８の８０３）を検索する（５０６）。中継局１０２はＰＩＮ＃対応データベース３０６に該当する装置Ｎｏ．（図４の４０３）が見つかると装置Ｎｏ．に対応したＰＩＮ＃４０１を登録する（５０７）。さらに着信時に生成したインスタンスＩＤ４０４を登録する（５０８）。そして、中継制御３０１０は携帯電話Ａ１０１が設定依頼したＰＩＮ＃１４０１のデータとともにインスタンスＩＤ４０４を発信元である携帯電話Ａ１０１に完了通知として送信する（５０９）。完了通知を受け取った携帯電話Ａ１０１は登録したＰＩＮ＃４０１とともにインスタンスＩＤは別途、保存する（５０１０）。
【００１５】
図６は、Ａさんの携帯電話情報（ＰＩＮ＃４０１、装置Ｎｏ．２０６）を、Ｂさんが保有している携帯電話Ｂ１０３の電話帳２０４に登録するまでの流れである。
【００１６】
Ｂさんが保有している携帯電話Ｂ１０３の電話帳２０４を登録しようとしているＡさんはＢさんに口頭で携帯電話Ｂ１０３のＰＩＮ＃４０１とインスタンスＩＤ２０５（図４の２０４）でＢさんの情報を問い合わせて、問い合わせを受けたＢさんは携帯電話Ｂ１０３の画面でＰＩＮ＃４０１とインスタンスＩＤ２０５を確認して返答する。ここで言うインスタンスＩＤ２０５はＢさんが携帯電話１０３のＰＩＮ＃４０１登録時に取得したものであることは携帯電話Ａ１０１と同様である。
【００１７】
そして、ＡさんはＢさんから教えてもらった携帯電話Ｂ１０３のＰＩＮ＃４０１とインスタンスＩＤ２０５を携帯電話Ａ１０１に手入力し、通話／接続（送受信）ボタンであるオンフックボタンを押す（６０１）。次にＡさんの携帯電話情報の一つインスタンスＩＤ２０５がＰＩＮ＃とともに自動的に取得される（６０２）。入力された携帯電話Ｂ１０３のＰＩＮ＃４０１とは、携帯電話Ａ１０１のＰＩＮ＃４０１と装置Ｎｏ．２０６とともに中継局１０２に送信する（６０３）。このときに送信するデータ形式は図１０のとおりである。中継局１０２は携帯電話Ａ１０１から送られたデータの形式がＰＩＮ＃４０１とインスタンスＩＤ２０５から成っていることを確認する（６０４）。さらにＡ１０１から送られたデータを基にＰＩＮ＃対応データベース３０６に携帯電話Ｂ１０３のＰＩＮ＃４０１とインスタンスＩＤ２０５を検索する。携帯電話Ｂ１０３のＰＩＮ＃４０１とインスタンスＩＤ２０５を見つけると対応する携帯電話Ｂ１０３の装置Ｎｏ．２０６を取得する（６０５）。そして携帯電話Ｂ１０３のＰＩＮ＃４０１とともに携帯電話Ａ１０１のＰＩＮ＃４０１、装置Ｎｏ．２０６を携帯電話Ｂ１０３に送信する（６０６）。ここでは当初の送信データからインスタンスＩＤ２０５が装置Ｎｏ．２０６と上書きされたデータで図１１のとおりである。携帯電話Ａ１０１送信データ（図１１）が携帯電話Ｂ１０３に着信すると携帯電話Ａ１０１のＰＩＮ＃４０１を検索し、ＰＩＮ＃４０１が同一の場合は装置Ｎｏ．２０６が異なっていることを確認して公開電話帳２０４１、装置Ｎｏ．２０６は非公開の電話帳２０４２に登録される（６０７）。
【００１８】
図７は、Ａさんの携帯電話Ａ１０１からＢさんの携帯電話Ｂ１０３にＰＩＮ＃４０１および装置Ｎｏ．２０６を利用した接続をするまでの流れである。
【００１９】
Ａさんが携帯電話Ａ１０１に携帯電話Ｂ１０３のＰＩＮ＃４０１を入力して通話／接続（送受信）ボタンであるオンフックボタンを押す（７０１）。携帯電話Ａ１０１は非公開電話帳２０４２で携帯電話Ｂ１０３の装置Ｎｏ．２０６を検索する（７０２）。そして、携帯電話Ｂ１０３のＰＩＮ＃４０１と装置Ｎｏ．２０６を取得（７０３）し、携帯電話Ａ１０１のＰＩＮ＃４０１と装置Ｎｏ．２０６を付加したうえで送信する（７０４、７０５）。携帯電話Ａ１０１から接続依頼を受けた中継局１０２は、送信されたデータ形式が複数の異なるＰＩＮ＃および装置Ｎｏ．であることを確認する（７０６）。そして、ＰＩＮ＃対応データベース３０６で携帯電話Ｂ１０３のＰＩＮ＃４０１と装置Ｎｏ．２０６を検索し、携帯電話Ｂ１０３の電話番号４０２を取得する（７０７）。さらに取得した電話番号４０２を確認のうえ、携帯電話Ｂ１０３へ携帯電話Ａ１０１からのＰＩＮ＃４０１と装置Ｎｏ．２０６を送信する（７０８）。そして中継局１０２は携帯電話Ａ１０１を携帯電話Ｂ１０３に接続待ちにする（７０９）。中継局１０２から着信したＡさんからの電話を確認したＢさんは接続のため、オンフックボタンで携帯電話Ｂ１０３のＰＩＮ＃４０１を送信する（７０１０、７０１１）。そして経由する中継局１０２でＰＩＮ＃４０１による接続処理を実行し携帯電話Ａ１０１と携帯電話Ｂ１０３の間でＰＩＮ＃４０１よる接続が実現する（７０１２）。もし、悪意のある第３者が相手のまたは、盗んだＰＩＮ＃４０１による接続を試みても携帯電話２０１の装置Ｎｏ．２０６が異なるので接続できない。その結果、いたずら電話やなりすまし電話が防止できる。また、電話番号４０２の相手先への非公開により携帯電話Ａ１０１および携帯電話Ｂ１０３の個人情報が保護される。
【００２０】
図８は、Ａさんが携帯電話Ａ１０１にＰＩＮ＃を入力した場合、中継局１０２へ送られるデータであり、ここではＰＩＮ＃４０１のデータである”Ａ−ｓａｎ”８０１で装置Ｎｏ．２０６のデータ”ｚ０１２３”８０２である。
【００２１】
なお、装置Ｎｏ．２０６は携帯電話固有の番号であり、携帯電話の持ち主であるＡさん以外には非公開である。
【００２２】
また、ＰＩＮ＃が複数に登録する場合はまず、ＰＩＮ＃を“１２３４”で送信するとやはり、装置Ｎ０．２０６として“ｚ０１２３”が付加される。そして、別のＰＩＮ＃４０１のデータ８０３と同一の装置Ｎｏ．が連続している。
【００２３】
また、同じ携帯電話から同一ＰＩＮ＃４０１のデータ８０１だけを送信した場合、中継局１０２はＰＩＮ＃対応データベースでＰＩＮ＃４０１と装置Ｎｏ、４０３を参照し、同一であれば当該ＰＩＮ＃４０１のデータ８０１は削除される。携帯電話Ｂの電話帳２０４については削除したことをメールなどで連絡する。
【００２４】
図９は、Ａさんから送られた携帯電話Ａ１０１のＰＩＮ＃４０１および装置Ｎｏ．２０６が中継局１０２に届くとインスタンスＩＤ２０５を取得して、さらにＰＩＮ＃対応データベース３０７に登録し、次に、ＰＩＮ＃４０１および装置Ｎｏ．２０６を基にＰＩＮ＃対応データベース３０６検索した結果、中継局１０２から携帯電話Ａ１０１に届いた登録完了通知データの一例である。本例では図８で述べた送信データにインスタンスＩＤ２０５のデータ”１８”８０２が追加されている。
【００２５】
図１０は、Ａさんが口頭で得たＢさんの携帯電話Ｂ１０３のＰＩＮ＃４０１のデータ”Ｂ−ｓａｎ”８０１−ＢおよびインスタンスＩＤ２０５のデータ８０２”１８”で、携帯電話Ａ１０１のＰＩＮ＃８０のデータ”Ａ−ｓａｎ”および装置Ｎｏ．８０３のデータ”Ｚ０１２３”を中継局１０２に送信した一例である。
【００２６】
図１１は、中継局１０２に受け付けた図１０の送信データが携帯電話Ｂ１０３のＰＩＮ＃４０１のデータ８０１および２列目のインスタンスＩＤ２０５のデータ８０２でＰＩＮ＃対応データベース３０６を検索して装置Ｎｏ．２０６を取得し、中継局１０２から携帯電話Ｂ１０３へ、携帯電話Ａ１０１のＰＩＮ＃４０１と装置Ｎｏ．２０６を送信したデータの一例である。送信先である携帯電話Ｂ１０３のＰＩＮ＃４０１のデータ”Ｂ−ｓａｎ”８０１−Ｂ、携帯電話Ｂ１０３の装置Ｎｏ．４０３のデータ”Ｙ９２１４”  ８０３−Ｂそして発信元である携帯電話ＡのＰＩＮ＃４０１のデータ”Ａ−ｓａｎ”８０１、装置番号２０６のデータ”Ｚ０１２３”８０３から成る。
【００２７】
図１２は、ＰＩＮ＃４０１および装置番号２０７を携帯電話Ｂ１０３の公開電話帳２０４１および非公開電話帳２０４２に更新・登録した一例である。公開電話帳２０４１にはＰＩＮ＃４０１だけが画面表示されており、このＰＩＮ＃４０１”Ｙ−ｓａｎ”を指定するで非公開電話帳２０４２で対応付けられたＹ−ｓａｎ＋ＹＣ６０２を取得する。
【図面の簡単な説明】
【００２８】
【図１】本発明における通話接続装置の一実施形態。
【図２】携帯電話のシステム構成図。
【図３】中継局内のＰＩＮ＃対応データベースの一例。
【図４】携帯電話Ａ１０１のＰＩＮ＃登録と装置対応ＤＢの更新までの流れ。
【図５】Ａが携帯電話Ａ１０１を使って、携帯電話Ｂ内の電話帳にＡさんの携帯電話情報の更新・登録するまでの流れ。
【図６】携帯電話Ａ１０１からＢさんの携帯電話にＰＩＮ＃および装置Ｎｏ．を利用した接続をするまでの流れ。
【図７】携帯電話Ａ１０１にＰＩＮ＃を入力した場合、中継局へ送られるデータ形式。
【図８】Ａさんから送られたＰＩＮ＃および装置Ｎｏ．でＰＩＮ＃対応データベース検索した結果、携帯電話Ａ１０１に届いた中継局から登録完了の通知の一例。
【図９】Ａさんが口頭で得たＢさんの携帯電話ＢのＰＩＮ＃およびインスタンスＩＤで携帯電話Ａ１０１のＰＩＮ＃および装置Ｎｏ．を携帯電話Ｂに送信した一例。
【図１０】Ａさんが口頭で得たＢさんの携帯電話ＢのＰＩＮ＃およびインスタンスＩＤで携帯電話Ａ１０１のＰＩＮ＃および装置Ｎｏ．を中継局に送信した一例。
【図１１】中継局から携帯電話Ｂへ、携帯電話Ａ１０１のＰＩＮ＃と装置Ｎｏ．を送信するデータの一例。
【図１２】ＰＩＮ＃および装置番号を携帯電話Ｂの電話帳および非公開電話帳に更新・登録した一例。
【符号の説明】
【００２９】
１０１…携帯電話Ａ、１０２…中継局、１０３…携帯電話Ｂ、１０４…ネットワーク、２０１…携帯電話Ａまたは携帯電話Ｂ、２０１１…携帯電話のメモリ、２０１２…携帯電話のＣＰＵ、２０２…通信制御、２０３…画面処理部、２０４…電話帳、２０４１…公開電話帳、２０４２…非公開電話帳、２０５…インスタンスＩＤ、２０６…装置Ｎｏ．２０７…装置Ｎｏ．提出部、２０８…音声入出力部、３０１…通信制御、３０１１…中継局のメモリ、３０１２…中継局のＣＰＵ、３０１３…中継制御、３０２、…送受信識別部、３０３…ＤＢ処理部、３０４…インスタンス生成部、３０５…接続処理部、３０６…ＰＩＮ＃対応データベース、４０１…ＰＩＮ＃対応データベースに登録されたＰＩＮ＃、４０２…ＰＩＮ＃対応データベースに登録された電話番号、４０３…ＰＩＮ＃対応データベースに登録された装置Ｎｏ．４０４…ＰＩＮ＃対応データベースに登録されたインスタンスＩＤ、８０１…携帯電話ＡのＰＩＮ＃データ、８０２…送信した携帯電話に内蔵されているインスタンスＩＤのデータ、８０３…送信した携帯電話固有の装置Ｎｏ．テータ、８０１−Ｂ…送信先である携帯電話ＢのＰＩＮ＃のデータ、８０３−Ｂ…送信先である携帯電話Ｂの装置Ｎｏ．。
【図１】
2008098877.tif 000003
【図２】
2008098877.tif 000004
【図３】
2008098877.tif 000005
【図４】
2008098877.tif 000006
【図５】
2008098877.tif 000007
【図６】
2008098877.tif 000008
【図７】
2008098877.tif 000009
【図８】
2008098877.tif 000010
【図９】
2008098877.tif 000011
【図１０】
2008098877.tif 000012
【図１１】
2008098877.tif 000013
【図１２】
2008098877.tif 000014